(57)【要約】【課題】メディアに記録された読影レポート情報を適切な表示形式で表示可能とする。【解決手段】読影レポート情報とともに、検索プログラム及び表示プログラムを可搬記憶媒体に書込ませる命令を書込手段に出力する制御手段を備える医用情報書込装置とする。検索プログラムは、可搬記憶媒体内の読影レポート情報を閲覧するための閲覧端末装置に格納されているビューアプログラムを、当該閲覧端末装置自身に検索させるプログラムである。表示プログラムは、可搬記憶媒体内の読影レポート情報を、予め定められた表示形式で、閲覧端末装置が有する表示装置に表示させるプログラムである。【選択図】図４
2010237723.tif 000002
【特許請求の範囲】
【請求項１】
可搬記憶媒体に書込手段を介して読影レポート情報を書込む医用情報書込装置であって、
前記読影レポート情報とともに、検索プログラム及び表示プログラムを前記可搬記憶媒体に書込ませる命令を前記書込手段に出力する制御手段を備え、
前記検索プログラムは、前記可搬記憶媒体内の読影レポート情報を閲覧するための閲覧端末装置に格納されているビューアプログラムを、当該閲覧端末装置自身に検索させるプログラムであり、
前記表示プログラムは、前記可搬記憶媒体内の読影レポート情報を、予め定められた表示形式で、前記閲覧端末装置が有する表示装置に表示させるプログラムである医用情報書込装置。
【請求項２】
前記制御手段は、前記読影レポート情報に加えて当該読影レポート情報に対応する医用画像情報を書込ませる医用情報書込装置。
【請求項３】
コンピュータを、
可搬記憶媒体に読影レポート情報を書込む書込手段、
前記読影レポート情報とともに、前記可搬記憶媒体内の読影レポート情報を閲覧するための閲覧端末装置に格納されているビューアプログラムを、当該閲覧端末装置自身に検索させるプログラムである前記検索プログラム及び前記可搬記憶媒体内の読影レポート情報を、予め定められた表示形式で、前記閲覧端末装置が有する表示装置に表示させるプログラムである前記表示プログラムを前記可搬記憶媒体に書込ませる命令を前記書込手段に出力する制御手段、
として機能させるためのプログラム。
【請求項４】
読影レポート情報、前記読影レポート情報を閲覧するための閲覧端末装置に格納されているビューアプログラムを、当該閲覧端末装置自身に検索させる検索プログラム及び前記読影レポート情報を、予め定められた表示形式で、前記閲覧端末装置が有する表示に表示させる表示プログラムを記憶したコンピュータ読取り可能な記憶媒体。
【発明の詳細な説明】
【技術分野】
【０００１】
本発明は、医用情報書込装置、プログラム及び記憶媒体に関する。
【背景技術】
【０００２】
近年、医療分野において医用画像をデジタル化して取り扱う運用が主流となりつつある。デジタル化された医用画像（以下、単に「医用画像」という）は、医用画像生成装置、例えばＣＴ（Computed Tomography）装置やＭＲＩ（Magnetic Resonance Imaging）装置等の各種モダリティにより生成される。
【０００３】
これらの医用画像生成装置により生成された医用画像は、患者情報や検査情報と共に、ＤＩＣＯＭ（Digital Imaging and COmmunication in Medicine）と呼ばれる互換性のある通信規格により管理サーバによって一元管理される。ＤＩＣＯＭとは、医療分野における情報交換のための標準規格である。また、管理サーバはこのＤＩＣＯＭ規格により医用画像だけでなく、それに対応する読影レポートも同様に管理する。
このような医用画像管理システムをＰＡＣＳ（Picture Archiving and Communication System for medical application）という。
【０００４】
一方、上述のＰＡＣＳによって医用画像や読影レポートを管理するシステムとは別に、可搬記憶媒体（メディア）による医用情報の運用方法がある。この運用方法では、メディアとしてＣＤ−ＲやＤＶＤ−Ｒ等が用いられ、当該メディアに医用情報を書込むことによりオフラインでの情報移送が可能である。
【０００５】
ここで、ＤＩＣＯＭ規格による読影レポートの表示形式は、システムごとに固定されているのが通常である。よって、例えばある一のＰＡＣＳ（ＰＡＣＳ−Ａとする）が運用上利用している読影レポートの表示形式がＸＭＬ形式であり、他のＰＡＣＳ（ＰＡＣＳ−Ｂとする）で利用している表示形式がＤＩＣＯＭ／ＳＲ形式であるような場合が起こり得る。
この場合、ＰＡＣＳ−Ｂは、ＸＭＬ形式で運用しているＰＡＣＳ−Ａから医用画像を譲り受けてもＤＩＣＯＭ／ＳＲでは表示することができない。その結果、ＰＡＣＳ−Ｂは、譲り受けた医用情報を表示するに際して汎用の表示形式、例えばＰＤＦ形式等でしか表示することができない。
【０００６】
このような問題を改善するには、予め複数の表示形式によって読影レポートを作成しておけばよい。特許文献１によれば、読影レポートを適切な配信先へ自動的に配信する読影レポート配信システムが開示されている（特許文献１参照）。これによれば、放射線技師、読影医、その他関連部門における医療従事者等、それぞれ異なる配信先に応じて予め作成しておいた読影レポートを配信することを可能としている。
【特許文献１】特開２００４−２６５２５０号公報
【発明の開示】
【発明が解決しようとする課題】
【０００７】
しかし、上述のシステムでは、ＰＡＣＳによる管理システムが構築されており、予め配信先が定まっていることが前提となる。よって、メディアによる読影レポートの運用には適用されず、メディアに書込んだ読影レポートについては汎用の表示形式でしか表示することができない場面が生じてしまうこととなる。
【０００８】
本発明は、メディアに記録された読影レポート情報を適切な表示形式で表示可能な医用情報書込装置を提供することである。
【課題を解決するための手段】
【０００９】
請求項１に記載の発明によれば、
可搬記憶媒体に書込手段を介して読影レポート情報を書込む医用情報書込装置であって、
前記読影レポート情報とともに、検索プログラム及び表示プログラムを前記可搬記憶媒体に書込ませる命令を前記書込手段に出力する制御手段を備え、
前記検索プログラムは、前記可搬記憶媒体内の読影レポート情報を閲覧するための閲覧端末装置に格納されているビューアプログラムを、当該閲覧端末装置自身に検索させるプログラムであり、
前記表示プログラムは、前記可搬記憶媒体内の読影レポート情報を、予め定められた表示形式で、前記閲覧端末装置が有する表示装置に表示させるプログラムである医用情報書込装置が提供される。
【００１０】
請求項２に記載の発明によれば、請求項１に記載の発明において、
前記制御手段は、前記読影レポート情報に加えて当該読影レポート情報に対応する医用画像情報を書込ませる医用情報書込装置が提供される。
【００１１】
請求項３に記載の発明によれば、
コンピュータを、
可搬記憶媒体に読影レポート情報を書込む書込手段、
前記読影レポート情報とともに、前記可搬記憶媒体内の読影レポート情報を閲覧するための閲覧端末装置に格納されているビューアプログラムを、当該閲覧端末装置自身に検索させるプログラムである前記検索プログラム及び前記可搬記憶媒体内の読影レポート情報を、予め定められた表示形式で、前記閲覧端末装置が有する表示装置に表示させるプログラムである前記表示プログラムを前記可搬記憶媒体に書込ませる命令を前記書込手段に出力する制御手段、
として機能させるためのプログラムが提供される。
【００１２】
請求項４に記載の発明によれば、
読影レポート情報、前記読影レポート情報を閲覧するための閲覧端末装置に格納されているビューアプログラムを、当該閲覧端末装置自身に検索させる検索プログラム及び前記読影レポート情報を、予め定められた表示形式で、前記閲覧端末装置が有する表示に表示させる表示プログラムを記憶したコンピュータ読取り可能な記憶媒体が提供される。
【発明の効果】
【００１３】
本発明によれば、読影レポート情報、検索プログラム及び表示プログラムがメディアに書込まれる。検索プログラムは、メディアを読込んだ閲覧端末装置自身が読影レポート情報を表示するためのビューアを検索するようにプログラムされている。また、表示プログラムは、読影レポート情報を表示するための適切な表示形式を決定し、当該表示形式により読影レポート情報を閲覧端末装置に表示させるようにプログラムされている。
これにより、ユーザの操作はメディアを閲覧端末装置に読込ませる操作だけでよく、その後は閲覧端末装置が自動的に適切な表示形式で読影レポート情報を表示することになる。
【発明を実施するための最良の形態】
【００１４】
以下、本発明に係る医用情報書込装置について最適な実施形態の構成及び動作について図面を用いて詳細に説明する。なお、以下の説明において、データ管理サーバは医用情報書込装置として機能するものとする。
【００１５】
図１に、医用情報提供システム１００のシステム構成図を示す。
医用情報提供システム１００は、データ管理サーバ１０、一般ＰＣ（Personal Computer）２０から構成され、各装置は、ＬＡＮ（Local Area Network）やＷＡＮ（Wide Area Network）等の通信回線からなるネットワークＮを介して接続されている。
【００１６】
データ管理サーバ１０は、病院Ａ内に設置されており、記憶装置１５を備える。なお、病院Ａ内の通信方式としては、ＤＩＣＯＭ規格が用いられている。
また、データ管理サーバ１０は、病院Ａにおいて生成された読影レポート情報や医用画像情報等を保存、管理する装置であり、当該情報をメディアＭに書込む。
【００１７】
図２に、データ管理サーバ１０の機能的構成を示す。
図２に示すように、データ管理サーバ１０は、制御部１１、操作部１２、表示部１３、通信部１４、記憶装置１５、ＲＯＭ（Read Only Memory）１６、ＲＡＭ（Random Access Memory）１７、メディア書込部１８等を備えて構成され、各部はバス１９により接続されている。
【００１８】
制御部１１は、ＲＯＭ１６に記憶されているシステムプログラムや各種処理プログラムを読み出し、ＲＡＭ１７内に形成されたワークエリアに展開し、該プログラムに従って各部を制御する。
【００１９】
操作部１２は、カーソルキー、数字入力キー、及び各種機能キー等を備えたキーボードと、マウス等のポインティングデバイスを備えて構成され、キーボードに対するキー操作やマウス操作により入力された指示信号を制御部１１に出力する。
【００２０】
表示部１３は、ＬＣＤ（Liquid Crystal Display）やＣＲＴ（Cathode Ray Tube）等のモニタにより構成され、制御部１１から入力される表示信号の指示に従って、操作部１２からの入力指示やデータ等を表示する。
【００２１】
通信部１４は、ＬＡＮアダプタ、ルータ、ＴＡ（Terminal Adapter）等を備え、ネットワークＮに接続された各装置とデータの送受信を行う。
【００２２】
記憶装置１５は、ハードディスク等の記憶装置であり、病院Ａにおいて、各種モダリティにより生成されたＤＩＣＯＭ規格に則った読影レポート情報や医用画像情報等を保存する。医用画像情報は、患者、検査日、モダリティ毎のフォルダにより分類されている。また、記憶装置１５は、読影レポート情報と医用画像情報とを対応付けて記憶する。
【００２３】
ＲＯＭ１６は、不揮発性の半導体メモリ等により構成され、制御部１１で実行されるシステムプログラム、メディア書込処理プログラムを始めとする各種処理プログラム、各種データ等を記憶する。これらの各種プログラムは、読取り可能なプログラムコードの形態で格納され、制御部１１は、当該プログラムコードに従った動作を逐次実行する。
【００２４】
ＲＡＭ１７は、制御部１１により実行制御される各種処理において、ＲＯＭ１６から読み出された各種プログラム、入力若しくは出力データ、及びパラメータ等を一時的に記憶する記憶領域を形成する。
【００２５】
メディア書込部１８は、メディアＭに対して、読影レポート情報や後述する検索プログラム及び表示プログラム等を電子的に書込む。
【００２６】
図３に、一般ＰＣ２０の機能的構成を示す。なお、一般ＰＣ２０は、患者が使用する通常の汎用ＰＣである。
図３に示すように、一般ＰＣ２０は、制御部２１、操作部２２、表示部２３、通信部２４、ＲＯＭ２５、ＲＡＭ２６、メディア読取部２７等を備えて構成され、各部はバス２８により接続されている。
【００２７】
制御部２１は、ＲＯＭ２５に記憶されているシステムプログラムや各種処理プログラムを読み出し、ＲＡＭ２６内に形成されたワークエリアに展開し、該プログラムに従って各部を制御する。
【００２８】
操作部２２は、カーソルキー、数字入力キー、及び各種機能キー等を備えたキーボードと、マウス等のポインティングデバイスを備えて構成され、キーボードに対するキー操作やマウス操作により入力された指示信号を制御部２１に出力する。
【００２９】
表示部２３は、ＬＣＤやＣＲＴ等のモニタにより構成され、制御部２１から入力される表示信号の指示に従って、操作部２２からの入力指示やデータ等を表示する。
【００３０】
通信部２４は、ＬＡＮアダプタ、ルータ、ＴＡ等を備え、ネットワークＮに接続された各装置とデータの送受信を行う。
【００３１】
ＲＯＭ２５は、不揮発性の半導体メモリ等により構成され、制御部２１で実行されるシステムプログラムや各種処理プログラム、各種データ等を記憶する。これらの各種プログラムは、読取可能なプログラムコードの形態で格納され、制御部２１は、当該プログラムコードに従った動作を逐次実行する。
【００３２】
ＲＡＭ２６は、制御部２１により実行制御される各種処理において、ＲＯＭ２５から読み出された各種プログラム、入力若しくは出力データ、及びパラメータ等を一時的に記憶する記憶領域を形成する。
【００３３】
メディア読取部２７は、メディアＭに書込まれている読影レポート情報、医用画像等の読取りや、検索プログラム及び表示プログラムの読取りを行う。読取った情報は制御部２１に出力される。
【００３４】
次に、図４を参照して、データ管理サーバ１０の書込動作について説明する。なお、本動作の前提として、書込対象となるメディアＭはメディア書込部１８にセットされているものとする。
【００３５】
制御部１１は、操作部１２を介して書込指示が入力されるまで待機し（ステップＳ１；ＮＯ）、読影レポート情報の書込指示が入力されると書込処理を開始する（ステップＳ１；ＹＥＳ）。なお、ここでいう読影レポート情報は、基本的に文字情報からなるものであって、画像を含まないものとする。
【００３６】
制御部１１は、書込指示において指定された読影レポート情報を記憶装置１５から抽出し、ＲＡＭ１７に一時的に記憶させる（ステップＳ２）。また、読影レポート情報以外の情報、例えば医用画像が指定された場合、当該指定された医用画像も記憶装置１５から抽出してＲＡＭ１７に一時的に記憶させる。
【００３７】
次に、制御部１１は、上述したステップＳ２においてＲＡＭ１７に保存した読影レポート情報、医用画像、検索プログラム、表示プログラムのそれぞれを対応付けした管理データベースを生成する（ステップＳ３）。
管理データベースは、例えばＣＳＶ（Comma Separated Value）のようなファイル形式でよい。また、検索プログラム及び表示プログラムは、記憶装置１５に予め格納されており、操作部１２を介して書込指示がなされると、制御部１１が上述のアプリケーションを記憶装置１５から抽出する。
【００３８】
ここで、検索プログラムとは、メディアＭを読込んだ一般ＰＣ２０がビューアプログラムを一般ＰＣ２０内から検索するようにプログラミングされたソフトウェアである。なお、ビューアプログラムとは、読影レポート情報を表示部２３に表示するためのプログラムである。
【００３９】
また、表示プログラムとは、読影レポート情報の表示に際して最適な表示形式を優先順位条件に基づいて決定するとともに、当該決定した表示形式で表示させるようにプログラミングされたソフトウェアである。
【００４０】
優先順位条件とは、複数の表示形式のうちから一の表示形式を決定するための優先順位を定めたものである。この優先順位条件により、例えば医用分野専用の表示形式であるＤＩＣＯＭ／ＳＲ形式と汎用の表示形式であるＰＤＦ形式が検索された際には、ＤＩＣＯＭ／ＳＲ形式で表示されることとなる。
なお、優先順位条件の設定は、ユーザが操作部１２を介して入力可能とすることとしてもよいし、表示プログラムに予めプログラミングしておくこととしてもよい。また、優先順位条件の設定は記憶装置１５に記憶されているものとする。
【００４１】
制御部１１は、ステップＳ３の処理により管理データベースを生成した後、メディア書込部１８を介してメディアＭに読影レポート、医用画像、検索プログラム、表示プログラム及び管理データベースを書込む書込処理を行い（ステップＳ４）、書込処理を終了する。
【００４２】
図５に、メディアＭを読込んだ一般ＰＣ２０が行う処理について示す。
制御部２１は、メディア読取部２７にメディアＭがセットされると、メディアＭの読込処理を開始する（ステップＳ２１）。
【００４３】
まず、制御部２１はメディアＭの読込処理を行うとともに、メディアＭに格納されている検索プログラムを起動させる（ステップＳ２２）。つまり、検索プログラムの起動は、いわゆるオートランによる。よって、操作部２２を介しての起動指示を必要としない。
【００４４】
制御部２１は、検索プログラムに従って、メディアＭにある読影レポート情報を表示するための一又は複数のビューアプログラムを自端末内から検索する（ステップＳ２３）。
また、制御部２１は検索した結果、一又は複数のビューアプログラムを示すビューア情報をＲＡＭ２６に一時的に記憶する。
【００４５】
その後、制御部２１は操作部２２から読影レポート情報の表示指示が入力されるまで待機する（ステップＳ２４；ＮＯ）。
操作部２２から表示指示が入力されると（ステップＳ２４；ＹＥＳ）、制御部２１は、メディアＭにある表示プログラムに従って、ＲＡＭ２６に記憶されているビューア情報のうちから一のビューアプログラムを決定する。また、決定したビューアプログラムにて読影レポート情報を表示する際の表示形式についても決定する（ステップＳ２５）。
【００４６】
表示形式の決定は、上述したように優先順位条件に基づいて行われる。例えば、優先順位がＸＭＬ形式、ＤＩＣＯＭ／ＳＲ形式、ＰＤＦ形式、テキスト形式の順に定められている場合があるとする。この場合、一般ＰＣ２０が有するビューアプログラムではＰＤＦ形式でしか表示可能でなければ、制御部２１はメディアＭにある読影レポート情報をＰＤＦ形式で表示することを決定する。
【００４７】
制御部２１は、決定したビューアプログラムを起動するとともに、適切な表示形式により読影レポートを表示部２３に表示させ（ステップＳ２６）、読込処理を終了する。
【００４８】
以上のように、本実施形態によれば、メディアＭに対して読影レポート情報のみならず、検索プログラム及び表示プログラムについても同時に書込む。これにより、メディアＭを読込ませた一般ＰＣ２０において、ユーザはビューアプログラム及び表示形式の選択操作を要することなく読影レポート情報を表示させることができる。
【００４９】
また、表示プログラムは、優先順位条件に基づき適切な表示形式で読影レポート情報を表示させるようにプログラミングされている。よって、メディアＭを読込ませた一般ＰＣ２０において、ユーザは読影レポート情報を一般ＰＣ２０において常に最適な表示形式により表示させることができる。
【００５０】
また、読影レポート情報の他に、当該読影レポート情報に対応する医用画像も同時にメディアＭへ書込むことも可能である。この際、読影レポート情報と医用画像とを対応付ける管理データベースも同時にメディアＭに書込む。これにより、ユーザは、メディアＭにある読影レポートを一般ＰＣ２０で表示させると同時に対応した医用画像についても表示することができる。
【００５１】
なお、上記実施形態における医用情報提供システム１００、データ管理サーバ１０及び一般ＰＣ２０の細部構成及び詳細動作に関しては、本発明の趣旨を逸脱しない範囲であれば適宜変更可能であり、本実施形態に限られない。
例えば、一般ＰＣ２０が医用分野専用のＰＤＩ（Portable Data for Imaging）端末である場合、検索プログラムによるビューアプログラムの検索ができないことがある。この場合には、ユーザが任意にビューアプログラムを選択する態様とすることが可能である。
【図面の簡単な説明】
【００５２】
【図１】医療情報提供システムの全体構成である。
【図２】データ管理サーバの機能的構成を示す図である。
【図３】一般ＰＣの機能的構成を示す図である。
【図４】データ管理サーバの書込処理を説明するフローチャートである。
【図５】一般ＰＣの読込処理を説明するフローチャートである。
【符号の説明】
【００５３】
１００  医用情報提供システム
１０    データ管理サーバ
１１    制御部
２０    一般ＰＣ
２１    制御部
Ｍ      メディア
【図１】
2010237723.tif 000003
【図２】
2010237723.tif 000004
【図３】
2010237723.tif 000005
【図４】
2010237723.tif 000006
【図５】
2010237723.tif 000007